(57)【要約】【課題】電源オン状態及びオフ状態において所定の文字やロゴ等を表示できるようにした透過型液晶表示装置及びこの液晶表示装置を備えた電子機器を提供すること。【解決手段】本発明のノーマリーホワイトモードの透過型液晶表示装置１Ａは、光透過領域を有するサブ画素と、前記サブ画素がマトリクス状に配列された表示領域９と、を備えており、前記透過型液晶表示装置１を非駆動状態とした際に、前記表示領域９に表示させておきたい模様に対応する前記サブ画素に光反射領域を形成し、反射領域に対応する位置の共通電極の少なくとも一部を除去したことを特徴とする。光反射領域の液晶層は電源オン状態でも駆動されないから、電源オン状態でもオフ状態でも良好に前記模様を視認できるようになる。【選択図】図１
2009098550.tif 000002
【特許請求の範囲】
【請求項１】
画素電極を備えた第１基板とカラーフィルタ層及び共通電極が形成された第２基板とが
対向配置され、それぞれの基板に光透過領域を有するサブ画素と、前記サブ画素がマトリ
クス状に配列された表示領域と、が形成されたノーマリーホワイトモードの透過型液晶表
示装置において、
前記表示領域に表示させておきたい模様に対応する前記サブ画素に光反射領域を形成す
ると共に、前記光反射領域に対応する位置の共通電極の少なくとも一部を除去したことを
特徴とする透過型液晶表示装置。
【請求項２】
前記光反射領域のセルギャップを前記光透過領域のセルギャップよりも小さくしたこと
を特徴とする請求項１に記載の透過型液晶表示装置。
【請求項３】
前記表示領域に表示させておきたい模様に対応する前記サブ画素の光反射領域のカラー
フィルタ層を除去したことを特徴とする請求項１又は２に記載の透過型液晶表示装置。
【請求項４】
前記表示領域に表示させておきたい模様に対応する前記サブ画素の光反射領域のカラー
フィルタ層を全て同色としたことを特徴とする請求項１又は２に記載の透過型液晶表示装
置。
【請求項５】
請求項１〜４のいずれかに記載の透過型液晶表示装置を備えたことを特徴とする電子機
器。
【発明の詳細な説明】
【技術分野】
【０００１】
本発明は、透過型液晶表示装置及びこの透過型液晶表示装置を備えた電子機器に関し、
特に電源オン状態及び電源オフ状態のいずれにおいても所定の文字やロゴ等の模様を表示
できるようにした透過型液晶表示装置及びこの透過型液晶表示装置を備えた電子機器に関
する。
【背景技術】
【０００２】
液晶表示パネルとして、透過型、反射型及び透過型と反射型の性質を併せ持つ半透過型
液晶表示装置（下記特許文献１参照）が知られている。このうち、半透過型液晶表示装置
は、一つの画素領域内に画素電極を備えた光透過領域と画素電極及び反射板の両方を備え
た光反射領域を有している。そして、暗い場所においてはバックライトを点灯して光透過
領域を利用して画像を表示し、明るい場所においてはバックライトを点灯することなく光
反射領域において外光を利用して画像を表示するものである。そのため、半透過型液晶表
示装置は、常時バックライトを点灯する必要がなくなるので、消費電力を大幅に低減させ
ることができるという利点を有している。この半透過型液晶表示装置は、携帯電話など、
特に中小型の電子機器の表示部として広く用いられている。
【０００３】
一方、近年では、電子機器のデザイン性の向上が多く求められているため、例えば携帯
電話において、待ち受け画面等に任意の画像を表示するだけではなく、メーカーロゴや特
定の模様など、多種多様な画像が表示されている。また、携帯電話機等の電子機器が高精
細化されていると共に画像表示が多くなっていることから、半透過型液晶表示装置もバッ
クライトを点灯して透過型として使用されることが多くなっている。
【特許文献１】特開平１１−１０１９９２号公報
【発明の開示】
【発明が解決しようとする課題】
【０００４】
液晶表示装置の表示部に画像を表示する際には、電源がオンの状態で液晶表示装置を駆
動して表示する必要がある。しかしながら、従来の液晶表示装置では、電源をオフにした
ときには、何も表示されない状態になってしまうため、画像を表示することができない。
従って、待ち受け画面等を長時間表示するには特定の画素を長時間駆動し続ける必要があ
るため、その分だけ消費電力が多くなってしまう。このように待ち受け画面等を長時間表
示する場合、半透過型液晶表示装置であればバックライトを点灯せずに反射型として駆動
すればよいが、それでも表示時間が長くなればなるほどそれに比例して消費電力は大きく
なる。しかも、透過型液晶表示装置では、待ち受け画面等を表示する場合であってもバッ
クライトを点灯しないと視認できないため、消費電力は膨大なものとなる。このような消
費電力の増大は、携帯電話機等の小型の電子機器にとっては重大な問題となる。
【０００５】
近年、電源オフ時にも社名のような識別用の記号等を含む所定の模様を表示しておくこ
とができるようにし、表示部を含めた機器全体のデザイン性を高めようとする提案がなさ
れている。そのためには、液晶表示装置の電源オフ時にも何等かの画像を表示できるよう
にする必要がある。しかしながら、従来は、電源オン時に実質的に正常な画像表示ができ
、電源オフ時に何等かの画像を表示できるような透過型液晶表示装置は知られていなかっ
た。加えて、より機器全体の表現力を広げるため、電源オン時においても通常の表示画像
中にこのような社名のような識別用の記号等を含む所定の模様を表示できるようにするこ
とも要望されるようになってきている。
【０００６】
以上のような事情に鑑み、本発明の目的は、電源がオン状態であってもオフ状態であっ
ても、社名のような識別用の記号等を含む所定の模様を表示することができる、幅広い表
現力を備えた表示特性の高い透過型液晶表示装置及びこの透過型液晶表示装置を備えた電
子機器を提供することにある。
【課題を解決するための手段】
【０００７】
上記目的を達成するため、本発明の透過型液晶表示装置は、画素電極を備えた第１基板
とカラーフィルタ層及び共通電極が形成された第２基板とが対向配置され、それぞれの基
板に光透過領域を有するサブ画素と、前記サブ画素がマトリクス状に配列された表示領域
と、が形成されたノーマリーホワイトモードの透過型液晶表示装置において、前記表示領
域に表示させておきたい模様に対応する前記サブ画素に光反射領域を形成すると共に、前
記光反射領域に対応する位置の共通電極の少なくとも一部を除去したことを特徴とする。
【０００８】
本発明の透過型液晶表示装置は、ノーマリーホワイトモードで作動するものであり、こ
の透過型液晶表示装置の表示領域に表示させておきたい模様に対応するサブ画素に光反射
領域を形成している。ノーマリーホワイトモードでは、液晶の駆動用電極間に電界が印加
されていない非駆動状態では、液晶分子は配向膜によって規制されている方向に配向して
光を透過する状態となっており、明（白）表示となる。しかし、液晶の駆動用電極間に電
界が印加された駆動状態では、液晶分子は電界によって動かされるので、光を透過しない
状態となり、暗（黒）表示となる。従って、ノーマリーホワイトモードの透過型液晶表示
装置は、電源がオフ状態の場合、光透過領域では光を透過するので白表示となるが、光反
射領域では外光を反射することができる。そのため、本発明の透過型液晶表示装置によれ
ば、非駆動状態の場合、光反射領域が形成された部分においては、外光からの入射光が出
射する際に識別パターンなどの模様に応じた色層の色を有する出射光となって出射するこ
とになるので、模様を表示させておくことが可能となる。
【０００９】
また、本発明の透過型液晶表示装置は、光反射領域に対応する位置の共通電極の少なく
とも一部が除去されている。そのため、駆動状態の場合、光透過領域では通常の画像表示
が行われるが、光反射領域では、非駆動状態が維持されているので、外光からの入射光が
出射する際に識別パターンなどの模様に応じた色層の色を有する出射光となって出射する
。従って、本発明の透過型液晶表示装置によれば、駆動状態の場合、光透過領域を利用し
て良好な画像表示を行うことができるとともに、光反射領域でも外光を利用して模様など
を表示させておくことができる。従って、本発明の透過型液晶表示装置は、駆動状態であ
っても非駆動状態であっても模様などを表示させることができるため、幅広い表現力を備
えた表示特性の高い透過型液晶表示装置となる。
【００１０】
なお、本発明の透過型液晶表示装置においては、光反射領域に対応する位置の共通電極
は全て除去しても、或いは一部のみ除去してもよい。光反射領域に対応する位置の共通電
極の全てを除去すれば、駆動状態の場合においても非駆動状態の場合においても、外光は
強く反射される。それに対し、光反射領域に対応する位置の共通電極の一部を除去すれば
、駆動状態の場合においては光反射領域の共通電極が残された部分は外光が反射し難くな
る。このように、本発明の透過型液晶表示装置においては、光反射領域に対応する位置の
共通電極の除去面積を変えることにより外光の反射強度を変えることができるため、模様
のデザインに応じて光反射領域に対応する位置の共通電極の除去面積を変えることによっ
て模様の多様な表現が可能となる。また、このように、共通電極の除去面積を変えること
により、駆動状態において表示に寄与する共通電極の面積を変えることができるため、外
光下における透過表示への影響を調節可能となる。さらに、非駆動状態で模様を表示する
場合においても、共通電極の全部または一部を除去することにより、反射した外光が認識
されやすくなるため、表示された模様等がより認識されやすくなる。
【００１１】
また、本発明の透過型液晶表示装置においては、前記光反射領域のセルギャップを前記
光透過領域のセルギャップよりも小さくすることが好ましい。
【００１２】
すなわち、本発明の透過型液晶表示装置は、半透過型液晶表示装置ではないから、駆動
時に光反射領域で画像表示を行わないので、本来、光反射領域と光透過領域のリタデーシ
ョンの差異を考慮する必要がない。しかしながら、光反射領域のセルギャップを光透過領
域のセルギャップよりも小さくすると、通常の半透過型液晶表示装置のサブ画素と同様の
構成となるので、同一サブ画素内において光反射領域と光透過領域との色調を同等とする
ことができ、表示特性が向上する。なお、正確に光反射領域と光透過領域との色調を同等
とするには光反射領域のセルギャップを光透過領域のセルギャップの１／２となるように
することが好ましい。
【００１３】
また、本発明の透過型液晶表示装置においては、前記表示領域に表示させておきたい模
様に対応する前記サブ画素の光反射領域のカラーフィルタ層を除去することができる。
【００１４】
係る態様の透過型液晶表示装置によれば、透過型液晶表示装置が駆動状態でも非駆動状
態でも、表示する模様を白黒でも表示させることができるようになり、様々な色調の模様
の表示が可能となる。
【００１５】
また、本発明の透過型液晶表示装置においては、前記表示領域に表示させておきたい模
様に対応する前記サブ画素の光反射領域のカラーフィルタ層を全て同色とすることができ
る。
【００１６】
係る態様の透過型液晶表示装置によれば、透過型液晶表示装置が駆動状態でも非駆動状
態でも、表示する模様の色を特に特定の色で強調表示することができ、しかも光反射領域
のカラーフィルタ層の色を変えることによって所定の色調の模様の強調表示が可能となる
。
【００１７】
更に、上記目的を達成するため、本発明の電子機器は、上記いずれかに記載の透過型液
晶表示装置を備えたことを特徴とする。
【００１８】
本発明の電子機器によれば、幅広い表現力を備えたノーマリーホワイトモードの透過型
液晶表示装置を備えた電子機器が得られる。
【発明を実施するための最良の形態】
【００１９】
以下、図面を参照して本発明の最良の実施形態を説明する。但し、以下に示す実施形態
は、本発明の技術思想を具体化するための透過型液晶表示装置を例示するものであって、
本発明をこの透過型液晶表示装置に特定することを意図するものではなく、特許請求の範
囲に含まれるその他の実施形態のものにも等しく適応し得るものである。なお、この明細
書における説明のために用いられた各図面においては、各層や各部材を図面上で認識可能
な程度の大きさとするため、各層や各部材毎に縮尺を異ならせて表示しており、必ずしも
実際の寸法に比例して表示されているものではない。
【００２０】
なお、図１は透過型液晶表示装置の全体構成を示す図である。図２は図１のII−II線に
沿った模式断面図である。図３は第1の実施形態に係る表示させておきたい模様に対応す
る位置の１サブ画素分の模式断面図である。図４は従来の半透過型液晶表示装置の１サブ
画素分の模式断面図である。図５Ａは第１の実施形態の液晶表示装置の非駆動時の表示状
態を示す平面図であり、図５Ｂは駆動時の表示状態を示す平面図である。図６は第２の実
施形態に係る表示させておきたい模様に対応する位置の１サブ画素分の模式断面図である
。図７は第３の実施形態に係る表示させておきたい模様に対応する位置の１サブ画素分の
模式断面図である。図８Ａは本発明の透過型液晶表示装置を搭載したパーソナルコンピュ
ータを示す図であり、図８Ｂは本発明の透過型液晶表示装置を搭載した携帯電話機を示す
図である。
【００２１】
［第１の実施形態］
本発明の第１の実施形態として、スイッチング素子として薄膜トランジスタ（Thin Fil
m Transistor：以下「ＴＦＴ」という）素子を用いたアクティブマトリクス方式の透過型
液晶表示装置を例に挙げて説明する。図１に示すように、本実施形態の透過型液晶表示装
置１Ａは、液晶パネル２と、バックライト３とを主体として構成されている。そして、液
晶パネル２とバックライト３とは平面視で重なるように配置されており、図１では液晶パ
ネル２のみが示されている。
【００２２】
この液晶パネル２は、ＴＦＴアレイ基板（第１基板）４とカラーフィルタ基板（第２基
板）５とがシール材７によって貼り合わされると共に、このシール材７によって区画され
た領域内に液晶層６が封入された構成になっている。シール材７の一部には液晶を注入す
る注入口７ａが設けられており、この注入口７ａは封止材７ｂにより封止されている。シ
ール材７の内側の領域には、遮光性材料からなる遮光膜（周辺見切り）８が設けられてい
る。周辺見切り８の内側の領域は、画像や動画等を表示する表示領域９になっている。ま
た、表示領域９には、複数のサブ画素１０がマトリクス状に設けられている。複数のサブ
画素１０の間の領域は画素間領域１１である。
【００２３】
ＴＦＴアレイ基板４の周縁部は、カラーフィルタ基板５から張り出した張出領域になっ
ている。この張出領域のうち図中左辺側及び右辺側には、走査信号を生成する走査線駆動
回路１２が形成されている。図１の上辺側には、左右の走査線駆動回路１２の間を接続す
る配線１４が引き回されている。図１の中央下辺側には、データ信号を生成するデータ線
駆動回路１３と、外部の回路等に接続するための接続端子１５とが形成されている。走査
線駆動回路１２と外部の回路等に接続するための接続端子１５との間の領域には、両者を
接続する配線１６が形成されている。また、カラーフィルタ基板５の各角部には、ＴＦＴ
アレイ基板４とカラーフィルタ基板５との間で電気的に接続するための基板間導通材１７
が設けられている。
【００２４】
ＴＦＴアレイ基板４は、図２に示したように、例えばガラスや石英等の透光性の高い材
料から形成された基材４ａと、この基材４ａの液晶側に形成された画素電極４８と、この
画素電極４８に電気信号を供給するスイッチング素子４７と、画素電極４８及びスイッチ
ング素子４７を覆うように形成された配向膜４６と、基材４ａの外側（液晶層６とは反対
側）に貼付された偏光板４９とを主体として構成されている。なお、基材４ａと画素電極
４８との間に層間膜を形成する場合もある。
【００２５】
画素電極４８は、サブ画素１０に平面視で重なる領域に配置されており、例えばＩＴＯ
（Indium Tin Oxide）等の透明な導電材料によって形成されている。スイッチング素子４
７は、画素間領域１１内に配置されており、画素電極４８に一対一で対応するように設け
られている。このようにサブ画素１０ごとに独立して液晶層６の配向を規制することが可
能になっている。このスイッチング素子４７は、例えばＴＦＴからなる素子であり、図示
しない走査線やデータ線に接続されている。配向膜４６は、液晶層６との界面に設けられ
ており、液晶層６を構成する液晶分子の配向を規制する。
【００２６】
一方、カラーフィルタ基板５は、基材５ａと、カラーフィルタ層５０と、遮光膜５１と
、共通電極５８と、配向膜５６とを主体として構成されている。カラーフィルタ基板５の
基材５ａは、ＴＦＴアレイ基板４の基材４ａと同様に、例えばガラスや石英等の透光性の
高い材料から形成された矩形の板状部材である。カラーフィルタ層５０は、基材５ａの液
晶層６側に平面視でサブ画素１０に重なるように設けられた色層である。このカラーフィ
ルタ層５０は、例えば赤色層５０Ｒ、緑色層５０Ｇ、青色層５０Ｂの３色の色層からなる
。
【００２７】
１つのサブ画素１０には３色のうち１色のカラーフィルタ層５０が設けられており、赤
色層５０Ｒ、緑色層５０Ｇ、青色層５０Ｂは各々隣接する列に配置されている。互いに隣
接し異なる色層のカラーフィルタ層５０を有する３つのサブ画素１０が１組になって、１
画素（１ピクセル）を構成している。遮光膜５１は、光を反射又は吸収可能な材料からな
る遮光部材であり、当該カラーフィルタ層５０の周囲に設けられている。
【００２８】
共通電極５８は、例えばＩＴＯなどの透明な導電材料によって形成された電極であり、
カラーフィルタ層５０及び遮光膜５１を覆うように設けられている。配向膜５６は、液晶
層６との界面に設けられており、配向膜４６との間で液晶層６を構成する液晶分子の配向
を規制している。
【００２９】
液晶層６は、例えばフッ素系液晶化合物や非フッ素系液晶化合物等の液晶分子によって
構成されており、ＴＦＴアレイ基板４側の配向膜４６とカラーフィルタ基板５側の配向膜
５６との双方に接するように両基板に挟持されている。液晶分子の配向は、電圧を印加し
ない非駆動時に光を透過する（ノーマリーホワイトモード）ように、配向膜４６、５６及
び偏光板４９及び５９によって規制されている。ここでは、ＴＮ（Twisted Nematic）モ
ードないしＥＣＢ（Electrically Controlled Birefringence)モードの液晶表示装置が使
用される。
【００３０】
このノーマリーホワイトモードの透過型液晶表示装置１Ａは、画素電極４８と共通電極
５８との間に電界が印加されていない状態では光が透過するために明表示となる。しかし
ながら、画素電極４８と共通電極５８との間に電界が印加されると、光を透過させなくな
るため、暗表示となる。
【００３１】
ここで、第１の実施形態における透過型液晶表示装置１Ａの駆動時及び非駆動時に表示
させておきたい模様に対応する位置の１サブ画素分の具体的構成を図３を用いて説明する
。この第１の実施形態では、表示させておきたい模様に対応する位置の画素電極４８の表
面に部分的に光反射層４５を形成し、１サブ画素１０内に画素電極４８のみが形成されて
いる光透過領域１０ａと光反射層４５が形成されている光反射領域１０ｂとを形成してい
る。
【００３２】
光反射層４５は、例えばアルミニウムなどからなる金属層であり、光をカラーフィルタ
基板５側へ反射するようになっている。この光反射層４５は、画素電極４８の液晶層６側
に形成されており、平面視でサブ画素１０内の領域に任意の割合で設けられるが、図２に
おいては平面視でサブ画素１０内のほぼ半分を占める領域に設けられている。そしてこの
領域が光反射領域１０ｂになっている。光反射層４５が設けられない領域は、バックライ
ト３からの光を液晶層６及びカラーフィルタ基板５へと透過する光透過領域１０ａになっ
ている。光反射層４５の表面（液晶層６側の面）が反射面になっており、この反射面には
凹凸のパターンが形成されている。なお、各光反射層４５の厚さは一定になっている。ま
た、ここでは光反射層４５を画素電極４８の表面に形成した例を示したが、光反射層４５
を画素電極４８の下に形成してもよい。
【００３３】
この図３に示した構成は、図４に示した従来の半透過型液晶表示装置１Ｄの構成と類似
している。なお、図４においては、図１〜３に示した第１の実施形態の透過型液晶表示装
置１Ａと同一の構成部分には同一の参照符号を付与してその詳細な説明は省略する。すな
わち、従来の半透過型液晶表示装置１Ｄでは、図４に示したように、全てのサブ画素１０
の一部に光反射層４５が形成され、光透過領域１０ａと光反射領域１０ｂとリタデーショ
ンが同じになるようにするため、光反射領域１０ｂのカラーフィルタ基板５には絶縁膜の
透明層５８ａが形成されている。そして、光反射領域１０ｂのセルギャップｔ２は光透過
領域１０ａのセルギャップｔ１の約１／２となるようになされている。
【００３４】
しかしながら、第１の実施形態の透過型液晶表示装置１Ａでは、反射型としての表示は
行わないため、光反射領域１０ｂと光透過領域１０ａのリタデーションの差異を考慮する
必要がない。そのため、第１の実施形態の透過型液晶表示装置１Ａでは、このような絶縁
膜の透明層５８ａは形成されておらず、光透過領域１０ａのセルギャップと光反射領域１
０ｂのセルギャップとが同一になっている。このような構成とすると、特に従来の半透過
型液晶表示装置１Ｄでは必要であった絶縁膜の透明層５８ａを形成するプロセスを削減す
ることができる。
【００３５】
この状態では、ノーマリーホワイトモードの透過型液晶表示装置１Ａが非駆動時の場合
、外光が光反射領域１０ｂの光反射層４５によって反射されて外部に出てくるため、表示
させておきたい模様が視認できるようになる。しかしながら、ノーマリーホワイトモード
の透過型液晶表示装置１Ａが駆動時の場合、光反射領域１０ｂに存在する液晶層６が駆動
されると暗表示となるため、光透過領域１０ａの表示画像に埋もれて目立たなくなってし
まう。そこで、この第１の実施形態の透過型液晶表示装置１Ａにおいては、駆動時に光反
射領域１０ｂに存在する液晶層６が駆動されないようにするため、光反射領域１０ｂに位
置する共通電極５８を全て除去している。
【００３６】
そうすると、第１の実施形態の透過型液晶表示装置１Ａの駆動時にも、光反射領域１０
ｂでは液晶分子が駆動されないため、光を透過させる状態が維持されており、外光が光反
射層４５によって反射されて外部に出てくる。そのため、第１の実施形態の透過型液晶表
示装置１Ａの駆動時には、正常な表示画像と光反射領域１０ｂによって形成された表示さ
せておきたい模様の両方が同時に視認できるようになる。
【００３７】
このように構成された第１の実施形態に係るノーマリーホワイトモードの透過型液晶表
示装置１Ａの電源オフ時及び電源オン時の表示領域９の状態の一例を図５Ａ及び図５Ｂを
用いて説明する。ノーマリーホワイトモードの透過型液晶表示装１Ａの電源をオフにした
状態、つまりＴＦＴアレイ基板４とカラーフィルタ基板５と間の液晶層６に電圧が印加さ
れていない非駆動状態の表示領域９の表示状態を図５Ａに示す。このように、電源オフ時
においては、使用者が表示領域９を観察すると、光反射領域１０ｂにおける外部からの入
射光の反射光を視認できるため、表示領域９に白色の表背景パターン６０に対して予め形
成された任意の識別パターンを観察することができるようになる。なお、この第１の実施
形態においては、図５Ａに示すように、識別パターン７０としてＡＢＣＤＥからなる記号
を表示させている。
【００３８】
つまり、ノーマリーホワイトモードの透過型液晶表示装置１Ａの非駆動時には、バック
ライト３から表示領域９のサブ画素を透過してくる光はないために白表示となるが、光反
射領域１０ｂにおいては外光が光反射層４５によって反射されて外部に出てくる。この光
反射領域１０ｂを特定の色のカラーフィルタ層が形成されているサブ画素に形成すると、
その特定の色の反射光を生じる。従って、１ピクセル内で光反射領域１０ｂが形成されて
いるサブ画素１０を適宜選択することにより、所望の色の反射光を生じさせることができ
る。更には、光反射領域１０ｂが形成されているサブ画素１０の光反射領域１０ｂのカラ
ーフィルタ層を除去すると、無彩色の反射光を生じさせることができ、模様を白黒で表示
させることも可能となる。このように、ノーマリーホワイトモードの透過型液晶表示装置
１Ａの非駆動時には、光反射領域１０ｂからの反射光が使用者により観察されるので、白
色の背景パターン６０に識別パターン７０が浮かび上がって観察されることになる。
【００３９】
また、ノーマリーホワイトモードの透過型液晶表示装１Ａの電源をオンにした状態、つ
まりＴＦＴアレイ基板４とカラーフィルタ基板５と間の液晶層６に電圧が印加されている
駆動状態の表示領域９の表示状態を図５Ｂに示す。すなわち、ノーマリーホワイトモード
の透過型液晶表示装置１Ａの駆動時には、バックライト３からの光は、光反射領域１０ｂ
が形成されていないサブ画素及び光反射領域１０ｂが形成されたサブ画素の光透過領域１
０ａを介して出射した光によって通常の動画や静止画などの様々な表示が可能となる。し
かしながら、光反射部１０ｂに対応する位置の共通電極５８は除去されているため、透過
型液晶表示装置１Ａが駆動時であっても、光反射領域１０ｂの液晶層６は駆動されない。
そのため、ノーマリーホワイトモードの透過型液晶表示装置１Ａが駆動時には、光反射領
域１０ｂでは、非駆動状態が維持されているので、外光からの入射光が出射する際に識別
パターン７０などの模様に応じた色層の色を有する出射光となって出射する。このように
、ノーマリーホワイトモードの透過型液晶表示装置１Ａの駆動時には、光反射領域１０ｂ
からの反射光が使用者により観察されるので、表示画像６１と識別パターン７０の両者が
同時に使用者に観察されることになる。
【００４０】
なお、この実施形態においては識別パターン７０としてアルファベットを表示した例を
示したが、このようなアルファベットなどの文字に限定されるものではない。本発明によ
れば文字だけでなく、企業のロゴマーク、花柄、市松模様などを含む多様な模様について
、透過型液晶表示装置１Ａの電源がオン状態でもオフ状態でも使用者に観察させることが
可能となる。このように本発明におけるノーマリーホワイトモードの透過型液晶表示装置
１Ａでは、電源オン時であってもオフ時であっても、任意の識別パターン７０を表示させ
ておくことができるようになるので、幅広い表現力を備えた表示特性の高い透過型液晶表
示装置１Ａが得られる。また、電源オフ時にも任意の識別パターン７０を表示させておく
ことができるので、電消費電力を大幅に減少させることができるようになる。更に、共通
電極５８を除去することにより、反射した外光が認識されやすくなるため、電源オフ時に
、表示された模様等がより認識されやすくなる。
【００４１】
［第２の実施形態］
上記第１の実施形態では、光反射領域１０ｂと光透過領域１０ａのリタデーションの差
異を考慮せず、セルギャップ調整用の絶縁膜の透明層を形成しない例を示したが、従来例
の半透過型液晶表示装置１Ｄ（図４参照）の場合と同様に絶縁膜の透明層５８ａを形成し
てもよい。このような絶縁膜の透明層５８ａを形成した第２の実施形態に係る透過型液晶
表示装置１Ｂにおける表示させておきたい模様に対応する位置の１サブ画素分の模式断面
図を図６に示す。なお、図６においては、図１〜３に示した第１の実施形態の透過型液晶
表示装置１Ａと同一の構成部分には同一の参照符号を付与してその詳細な説明は省略する
。
【００４２】
この第２の実施形態では、光反射領域１０ｂのカラーフィルタ層５０と配向膜５６との
間に絶縁膜の透明層５８ａを形成し、光反射領域１０ｂのセルギャップｔ２が光透過領域
１０ａのセルギャップｔ１の約１／２となるようにしたものである。なお、この第２の実
施形態においても光反射領域１０ｂの共通電極は除去されているため、光反射領域１０ｂ
の絶縁膜の透明層５８ａの表面は直接配向膜５６によって被覆されている。この第２の実
施形態の透過型液晶表示装置１Ｂでは、従来の半透過型液晶表示装置１Ｄ（図４参照）の
サブ画素の構成と同様となるので、同一サブ画素内において光反射領域１０ｂと光透過領
域１０ａとの色調を同等とすることができ、表示特性が向上する。
【００４３】
［第３の実施形態］
上記第１の実施形態では、光反射領域１０ｂに位置する共通電極の全てを除去した例を
示したが、光反射領域１０ｂに共通電極５８の一部を残しておいてもよい。このような反
射領域１０ｂに共通電極５８の一部を残した第３の実施形態に係る透過型液晶表示装置１
Ｃにおける表示させておきたい模様に対応する位置の１サブ画素分の模式断面図を図７に
示す。なお、図７においては、図１〜３に示した第１の実施形態の透過型液晶表示装置１
Ａと同一の構成部分には同一の参照符号を付与してその詳細な説明は省略する。
【００４４】
この第３の実施形態では、光反射領域１０ｂの共通電極５８を、光透過領域１０ａの境
界から長さＬ分だけ残し、他の部分を除去したものである。第１の実施形態の透過型液晶
表示装置１Ａのように、光反射領域１０ｂに対応する位置の共通電極の全てを除去すれば
、駆動状態の場合においても光反射領域１０ｂの全てが非駆動状態となるため、外光は強
く反射される。それに対し、この第３の実施形態に係る透過型液晶表示装置１Ｃでは、光
反射領域１０ｂに対応する位置の共通電極５８の一部を残し、一部を除去したので、駆動
状態の場合においては光反射領域１０ｂの共通電極５８が残された部分は外光が反射し難
くなる。このように、第３の実施形態の透過型液晶表示装置１Ｃにおいては、光反射領域
１０ｂに対応する位置の共通電極５８の除去面積を変えることにより外光の反射強度を変
えることができる。そのため、第３の実施形態の透過型液晶表示装置１Ｃにおいては、模
様のデザインに応じて光反射領域１０ｂに対応する位置の共通電極５８の除去面積を変え
ることによって模様の多様な表現が可能となる。また、このように、共通電極５８の除去
面積を変えることにより、駆動状態において表示に寄与する共通電極５８の面積を変える
ことができるため、外光下において、光透過領域１０ａにおいて行われる透過表示への影
響を調節可能となる。
【００４５】
以上、本発明の実施形態として透過型液晶表示装置の例を説明した。このような本発明
の透過型液晶表示装置は、パーソナルコンピュータ、携帯電話機、携帯情報端末などの電
子機器に使用することができる。このうち、透過型液晶表示装置７１をパーソナルコンピ
ュータ７０に使用した例を図８Ａに、同じく透過型液晶表示装置７６を携帯電話機７５に
使用した例を図８Ｂに示す。ただし、これらのパーソナルコンピュータ７０及び携帯電話
機７５の基本的構成は当業者に周知であるので、詳細な説明は省略する。
【図面の簡単な説明】
【００４６】
【図１】透過型液晶表示装置の全体構成を示す図である。
【図２】図１のII−II線に沿った模式断面図である。
【図３】第1の実施形態に係る表示させておきたい模様に対応する位置の１サブ画素分の模式断面図である。
【図４】従来の半透過型液晶表示装置の１サブ画素分の模式断面図である。
【図５】図５Ａは第１の実施形態の液晶表示装置の非駆動時の表示状態を示す平面図であり、図５Ｂは駆動時の表示状態を示す平面図である。
【図６】第２の実施形態に係る表示させておきたい模様に対応する位置の１サブ画素分の模式断面図である。
【図７】第３の実施形態に係る表示させておきたい模様に対応する位置の１サブ画素分の模式断面図である。
【図８】図８Ａは本発明の透過型液晶表示装置を搭載したパーソナルコンピュータを示す図であり、図８Ｂは本発明の透過型液晶表示装置を搭載した携帯電話機を示す図である。
【符号の説明】
【００４７】
１Ａ〜１Ｃ…透過型液晶表示装置  １Ｄ…半透過型液晶表示装置  ２…液晶パネル  ３
…バックライト  ４…ＴＦＴアレイ基板  ５…カラーフィルタ基板  ６…液晶層  ９…表
示領域  １０…サブ画素  １０ａ…光透過領域  １０ｂ…光反射領域  ４５…光反射層  
５０…カラーフィルタ層  ５０Ｒ…赤色層  ５０Ｇ…緑色層  ５０Ｂ…青色層  ６０…背
景パターン  ６１…表示画像  ７０…識別パターン
【図１】
2009098550.tif 000003
【図２】
2009098550.tif 000004
【図３】
2009098550.tif 000005
【図４】
2009098550.tif 000006
【図５】
2009098550.tif 000007
【図６】
2009098550.tif 000008
【図７】
2009098550.tif 000009
【図８】
2009098550.tif 000010